(57)【要約】【課題】時間を要する面倒な取付作業を不要にし、かつ、精度よく、エレベータ乗りかご内の照明装置の点検を行い、当該照明装置の遠隔監視を行う。【解決手段】エレベータの乗りかご６に設置された各照明器具８ａ〜８ｃに対し、個別に、電力供給／電力遮断を切り替える電源切断手段１０と、照明器具８ａ〜８ｃによる照明光下で乗りかご６内を撮影し、その画像データを出力する撮像装置１２と、当該画像データを画像解析して明るさを検知する画像処理部１１ｂとを備え、電源切断手段１０の切り替えにより、照明器具８ａ〜８ｂを１つずつ点灯させ、他を消灯させた状態で、順に、撮像装置１２による撮影を行って、その画像データの明るさに基づいて、各照明器具８ａ〜８ｃ毎の点灯状態を測定し、各照明器具８ａ〜８ｃ毎の正常／故障を検知する。【選択図】図３
2013155019.tif 000002
【特許請求の範囲】
【請求項１】
複数の照明器具によって構成されるエレベータの乗りかご内の照明装置の点検を行うためのエレベータの照明点検装置であって、
各前記照明器具に対し、個別に、電力供給および電力遮断の切り替えを行う電源切断手段と、
前記乗りかご内に設けられ、前記照明器具による照明光下で前記乗りかご内を撮影し、その画像データを出力する撮像手段と、
前記撮像手段からの前記画像データを画像解析して、前記画像データの明るさを検知する検知手段と
を備え、
前記電源切断手段の切り替えにより、前記照明器具のうちの１つだけを点灯し、他を消灯させることを、各照明器具に対し順に行い、それらの各状態毎に、前記撮像手段による撮影を行って、その画像データの明るさに基づいて、各照明器具毎の点灯状態を測定し、各照明器具毎の正常／故障を検知することを特徴とするエレベータの照明点検装置。
【請求項２】
エレベータの使用初期において前記撮像手段により撮影した画像データの明るさのデータを初回データとして記憶する記憶手段と、
前記初回データと、前記検知手段により今回検知された前記明るさのデータとを比較し、その変化量に基づいて、前記照明器具の劣化状況を判定する判定手段と
をさらに備えたことを特徴とする請求項１に記載のエレベータの照明点検装置。
【請求項３】
前記画像データの任意の画像範囲を指定して、前記検知手段における検知対象範囲として設定する検知条件設定手段をさらに備えたことを特徴とする請求項１または２に記載のエレベータの照明点検装置。
【請求項４】
前記撮像手段として、乗りかご内に設置されている防犯用カメラを共用し、当該防犯用カメラからの映像信号を前記画像データとして使用することを特徴とする請求項１ないし３のいずれか１項に記載のエレベータの照明点検装置。
【請求項５】
複数の照明器具によって構成されるエレベータの乗りかご内の照明装置の点検を行うためのエレベータの照明点検方法であって、
前記照明器具のうちの１つだけを点灯し、他を消灯させることを、各照明器具に対し順次行うように、各前記照明器具に対し、個別に、電力供給および電力遮断の切り替えを行う電源切断ステップと、
点灯している前記１つの照明器具による照明光下で前記乗りかご内を撮影し、その画像データを出力する撮像ステップと、
前記撮像手段からの前記画像データを画像解析して、前記画像データの明るさを検知する検知ステップと
を備え、
前記電源切断ステップの切り替えにより、前記照明器具のうちの１つだけを点灯し、他を消灯させることを、各照明器具に対し順に行い、それらの各状態で、前記撮像ステップによる撮影を行って、その画像データの明るさに基づいて、各照明器具毎の点灯状態を測定し、各照明器具毎の正常／故障を検知することを特徴とするエレベータの照明点検方法。
【発明の詳細な説明】
【技術分野】
【０００１】
この発明はエレベータの照明点検装置および照明点検方法に関し、特に、エレベータの乗りかご内に設けられた照明の点検を行うためのエレベータの照明点検装置および照明点検方法に関する。
【背景技術】
【０００２】
エレベータの乗りかご内には、サイズや用途などで様々な種類の照明装置が使用されている。近年では、蛍光灯や白熱電球のほかにも、省エネルギーの観点から発光ダイオードを光源とした照明装置も広く適用されている。また、一般的に、１つの乗りかご内には２個以上の複数の照明装置が設けられている。
【０００３】
従来、エレベータにおいては照明装置が故障や寿命で点灯しなくなった場合、エレベータを管理するビル管理者よりエレベータ保守会社へ連絡し、連絡を受けた専門のエレベータ保守員が対応して照明器具を交換することになっていたが、近年では、故障をできるだけ早く察知し、復旧するまでの時間を短くしたいため、エレベータ保守会社では、電話回線などを経由して遠隔でエレベータの乗りかご内の照明装置の異常を検知できる照明監視装置を予めエレベータに設置している場合がある。このような従来の照明監視装置としては、例えば特許文献１のように、光センサを用いて照明装置からの照度を測定することによって、照明装置が正常か異常であるかを検出している。特許文献１では光センサを用いているが、これ以外にも照明装置の消費電流を電流センサにより測定することにより、照明装置が正常か異常かを検出しているような照明監視装置も開発されている。
【０００４】
図１は、特許文献１に記載のような光センサを用いた照明監視装置と監視システム全体の構成を表した図である。図１において、１はエレベータの運行全般の制御を行うエレベータ制御盤であり、各種機器との間で信号伝送をしながら各種制御を行うマイクロプロセッサ１ａを内蔵する。エレベータ制御盤１は、エレベータの運行状況や異常発生の有無を遠隔監視装置２を介してエレベータ保守会社の監視センタ３へ報知することができる。なお、遠隔監視装置２から監視センタ３へは一般電話回線４などを介して接続されている。エレベータ乗りかご６の天井には照明装置８が設けられており、照明装置８は複数の照明器具８ａ〜８ｃによって構成されている。照明器具８ａ〜８ｃを点灯させるための照明装置８への電力供給ラインには、電源切断手段９が設けられている。電源切断手段９は、エレベータ乗りかご６内に人がいない場合に、省エネルギーを目的に、エレベータ制御盤１からの乗りかご内照明ｏｎ／ｏｆｆ指令に従って、照明装置８への電源供給を遮断する。これにより、照明器具８ａ〜８ｃは一度に同時に消灯する。
【０００５】
また、各照明器具８ａ〜８ｃ毎に、光センサ７ａ〜７ｃが設けられている。光センサ７ａ〜７ｃからの出力は、照明監視装置５に入力される。照明監視装置５は、光センサ７ａ〜７ｃからの光センサ入力に基づいて、照明装置８の照明器具８ａ〜８ｃが正常に点灯しているかを示すかご内照明情報を生成し、エレベータ制御盤１へ出力する。エレベータ制御盤１内のマイクロプロセッサ１ａは、エレベータ制御盤１から出力される電源切断手段９への乗りかご内照明ｏｎ／ｏｆｆ指令と照明監視装置５からのかご内照明情報との関係に基づいて、乗りかご６内の照明装置８が正常に点灯しているかを監視し、この結果を遠隔監視装置２と一般電話回線４とを介して監視センタ３へ報知する。
【先行技術文献】
【特許文献】
【０００６】
【特許文献１】特許第３５０９７７０号公報
【発明の概要】
【発明が解決しようとする課題】
【０００７】
上述した図１に示す従来の照明監視装置においては、光センサ７ａ〜７ｃを用いて複数の照明器具８ａ〜８ｃのそれぞれについて点灯できているかを測定しているが、光センサにおいては、光センサが設置されている箇所の明るさに応じて光センサ出力を行うことになるため、光センサの設置箇所に依存して、光センサ出力値が変化してしまう。そのため、照明器具の種類や、照明装置の種類によって、厳密に、光センサ設置数や光センサ設置位置を最適になるように設計したり、光センサに入射する光が照明器具からの光だけになるように入射光を調整するための遮光用のカバーなどを用意しなければならなかった。特に、エレベータの天井照明装置は、顧客毎、ビル毎で様々な意匠となるため、その都度、前記のような問題を避けるために、光センサの設置に多大な時間を要するという問題点があった。
【０００８】
同様に、光センサではなく、電流センサを用いた照明監視装置においても、電流センサの取り付けを照明装置毎で複数回行なわなくてはならす、こちらの場合も、多大な時間を要するという問題点があった。
【０００９】
この発明はかかる問題点を解決するためになされたものであり、時間を要する面倒な取付作業を不要にし、かつ、精度よくエレベータ乗りかご内の照明装置の点検を行い、当該照明装置の遠隔監視を行うことを可能した、エレベータの照明点検装置および照明点検方法を得ることを目的としている。
【課題を解決するための手段】
【００１０】
この発明は、複数の照明器具によって構成されるエレベータの乗りかご内の照明装置の点検を行うためのエレベータの照明点検装置であって、各前記照明器具に対し、個別に、電力供給および電力遮断の切り替えを行う電源切断手段と、前記乗りかご内に設けられ、前記照明器具による照明光下で前記乗りかご内を撮影し、その画像データを出力する撮像手段と、前記撮像手段からの前記画像データを画像解析して、前記画像データの明るさを検知する検知手段とを備え、前記電源切断手段の切り替えにより、前記照明器具のうちの１つだけを点灯し、他を消灯させることを、各照明器具に対し順に行い、それらの各状態毎に、前記撮像手段による撮影を行って、その画像データの明るさに基づいて、各照明器具毎の点灯状態を測定し、各照明器具毎の正常／故障を検知することを特徴とするエレベータの照明点検装置である。
【発明の効果】
【００１１】
この発明は、複数の照明器具によって構成されるエレベータの乗りかご内の照明装置の点検を行うためのエレベータの照明点検装置であって、各前記照明器具に対し、個別に、電力供給および電力遮断の切り替えを行う電源切断手段と、前記乗りかご内に設けられ、前記照明器具による照明光下で前記乗りかご内を撮影し、その画像データを出力する撮像手段と、前記撮像手段からの前記画像データを画像解析して、前記画像データの明るさを検知する検知手段とを備え、前記電源切断手段の切り替えにより、前記照明器具のうちの１つだけを点灯し、他を消灯させることを、各照明器具に対し順に行い、それらの各状態毎に、前記撮像手段による撮影を行って、その画像データの明るさに基づいて、各照明器具毎の点灯状態を測定し、各照明器具毎の正常／故障を検知することを特徴とするエレベータの照明点検装置であるので、時間を要する面倒な取付作業を不要にし、かつ、精度よく、エレベータ乗りかご内の照明装置の点検を行い、当該照明装置の遠隔監視を行うことができる。
【図面の簡単な説明】
【００１２】
【図１】従来のエレベータの照明監視装置およびそれが設置された監視システム全体の構成を示した構成図である。
【図２】この発明の実施の形態１に係るエレベータの照明点検装置およびそれが設置された監視システム全体の構成を示した構成図である。
【図３】この発明の実施の形態１に係るエレベータの照明点検装置の内部構成を示したブロック図である。
【図４】この発明の実施の形態１に係る監視システムに設けられたエレベータ制御盤１のマイクロプロセッサ１ａにおける照明点検処理の流れを示したフローチャートである。
【図５】この発明の実施の形態１に係る照明点検装置における照明点検処理の流れを示したフローチャートである。
【発明を実施するための形態】
【００１３】
実施の形態１．
図２は、この発明の実施の形態１に係るエレベータの照明点検装置（以下、単に、照明点検装置と呼ぶ。）とそれが設置される監視システム全体の構成を示した構成図である。本実施の形態１に係る照明点検装置は、後述する、照明点検手段１１、撮像装置１２、および、電源切断手段１０から構成され、撮像装置１２で撮影された画像データに基づいて照明の点検処理を行う。
【００１４】
図２において、１はエレベータの運行全般を制御するエレベータ制御盤であり、各種機器との間で信号伝送をしながら各種制御を行うマイクロプロセッサ１ａを内蔵する。エレベータ制御盤１は、エレベータの運行状況や異常発生の有無を遠隔監視装置２を経由してエレベータ保守会社の監視センタ３へ報知することができる。なお、遠隔監視装置２から監視センタ３へは一般電話回線４やインターネットなどの通信手段を介して接続されている。また、エレベータ乗りかご６の天井や内壁あるいは床には照明装置８が設置され、照明装置８は複数の照明器具８ａ〜８ｃによって構成されている。
【００１５】
また、図２に示されるように、乗りかご６には照明点検手段１１が設けられており、照明点検手段１１はエレベータ制御盤１との間で信号伝送をすることができると共に、電源切断手段１０へ照明器具のｏｎ／ｏｆｆ制御指令を出力する。また、乗りかご６内には、乗りかご６内を撮影することが可能な撮像手段としての撮像装置１２が設けられている。撮像装置１２は、デジタルカメラまたはデジタルビデオカメラ等から構成され、乗りかご６内を撮影する。なお、撮像装置１２による撮影によって得られた画像データは、照明点検手段１１に入力される。また、各照明器具８ａ〜８ｃを点灯させるための照明装置８への電力供給ラインには、電源切断手段１０が設けられている。電源切断手段１０は、図１の電源切断手段９とは異なり、照明装置８の照明器具８ａ〜８ｃのそれぞれに対して個別に電源供給ラインを接続している。従って、電源切断手段１０は、各照明器具８ａ〜８ｃに対し、個別に、電力供給／電力遮断の切り替えができる。また、照明点検手段１１は、乗りかご６内に人が存在するか否かを検出する乗客検出センサを有しており、乗りかご６内に人がいない場合には、省エネルギーを目的として、照明器具８ａ〜８ｃを消灯させ、かつ、乗りかご６内に人が乗ってきた場合には、照明器具８ａ〜８ｃを点灯させるための乗りかご内照明ｏｎ／ｏｆｆ制御指令を電源切断手段１０に対して出力する。また、照明点検手段１１は、個々の照明器具８ａ〜８ｃの点検を行なう場合には、照明器具のｏｎ／ｏｆｆ制御指令を電源切断手段１０に対して出力する。電源切断手段１０は、それらのｏｎ／ｏｆｆ制御指令に従って、個別に照明器具８ａ〜８ｃの電源供給ラインを接続または遮断する。
【００１６】
図３は、照明点検手段１１内の構成を示したブロック図である。図３に示すように、照明点検手段１１は、点検手順動作処理や測定結果の判定処理など、照明点検手段１１全体の処理を行うためのマイクロプロセッサ等から構成された演算処理部１１ａと、撮像装置１２からの画像データの画像処理を行って、演算処理部１１ａで演算できるデータに変換処理する画像処理部１１ｂと、エレベータ制御盤１との間で信号伝送を行う通信制御部１１ｃと、電源切断手段１０へ照明器具８ａ〜８ｃのｏｎ／ｏｆｆ制御指令を出力するＩ／Ｏ制御部１１ｄと、画像データや照明点検に必要な各種パラメータデータ等を保存できる記憶部１１ｅとから構成されている。また、通信制御部１１ｃは、パーソナルコンピュータ等から構成された機能設定手段１３が接続できる構成となっており、機能設定手段１３との間でも信号伝送をすることが可能となっている。エレベータ保守会社の専門のエレベータ保守員等が、機能設定手段１３を操作することにより、照明点検に必要な各種パラメータデータなどを設定、変更することができる。機能設定手段１３は常時接続しておいてもよいが、搬送可能なノート型パソコン等の可搬型コンピュータから構成しておき、必要に応じてケーブル等により接続して用いるようにしてもよい。
【００１７】
次に、図２，図３、並びに、動作フローチャートである図４，図５を用いて、本実施の形態１に係る照明点検処理の動作について説明する。図４は、エレベータ制御盤１内のマイクロプロセッサ１ａにおける乗りかご内の照明点検処理の概略手順を示している。図５は、照明点検手段１１における乗りかご内の照明点検処理の概略手順を示している。
【００１８】
まず、図２，図４を用いて、エレベータ制御盤１内のマイクロプロセッサ１ａにおける乗りかご内の照明点検処理について説明する。本実施の形態１においては、照明点検を実施するための予め設定された照明点検可能タイミング（例えば、エレベータが一定時間利用されず、省エネルギーにするために休止状態に移行するタイミング等）で、かつ、エレベータ利用者（乗客）が乗りかご６内にいない状態でのみ、照明点検処理を開始する。そのため、マイクロプロセッサ１ａは、まず、ステップＳ１で、現在のエレベータの状態が、照明点検可能タイミングにあって、かつ、エレベータ利用者（乗客）が乗りかご６内にいない状態であるか否かを判定する。判定の結果、そうでなければ、照明の点検は行わず、そのまま処理を終了する。一方、判定の結果、そうであれば、ステップＳ２に進み、照明点検手段１１に対して照明点検を開始するための照明点検指令の信号を送信する。その結果、照明点検手段１１において照明点検が実施され、照明点検結果（正常、異常の情報を含む）が返信されてくるので、ステップＳ３において当該照明点検結果を受信し、ステップＳ４で当該照明点検結果をマイクロプロセッサ１ａに接続された記憶装置（図示せず）に保存する。次に、マイクロプロセッサ１ａは、ステップＳ５で、照明点検結果が正常か否かの判定を行い、照明点検結果が正常であった場合は、そのまま処理を終了する。一方、照明点検結果が正常でなかった場合、ステップＳ６で、マイクロプロセッサ１ａは、監視センタ３へ照明装置８が異常であることを連絡するため、遠隔監視装置２を介して監視センタ３へ照明異常情報を報知する。
【００１９】
次に、図２，図３，図５を用いて、照明点検手段１１における乗りかご内の照明点検処理について説明する。図５の処理は、図２のステップＳ２とステップＳ３との間で、照明点検手段１１において行われる。
【００２０】
図５に示すように、まず、ステップＳ１１で、照明点検手段１１は、上述の図２のステップＳ２の処理でエレベータ制御盤１のマイクロプロセッサ１ａから出力された照明点検指令を、通信制御部１１ｃで受信すると、演算処理部１１ａにより照明点検処理が開始される。まず、ステップＳ１２で、演算処理部１１ａが、Ｉ／Ｏ制御部１１ｄを介して、電源切断手段１０へ、ｏｎ／ｏｆｆ制御指令を出力する。当該ｏｎ／ｏｆｆ制御指令は、照明器具８ａ〜８ｃの中の予め設定された照明器具１個のみを点灯させ、他の照明器具は消灯するように指令するものである。ここでは、説明を分かりやすくするため、ｏｎ／ｏｆｆ制御指令が、照明器具８ａのみを点灯させ、照明器具８ｂ，８ｃを消灯させるように指令したとして説明する。これにより、照明器具８ａのみが点灯し、照明器具８ｂ，８ｃは消灯する。その状態で、ステップＳ１３において、乗りかご６内に設置された撮像装置１２により乗りかご６内を撮影し、当該撮影によって得られた画像データを画像処理部１１ｂにおいて取込む。次に、ステップＳ１４で、画像処理部１１ｂにおいて、画像データの明るさの検出を行う。具体的には、画像データから輝度データ（明るさのデータ）を抽出し、グレースケール画像へ変換する。次に、ステップＳ１５で、演算処理部１１ａが、今回の処理が初回の処理か否かを判定し、初回であれば、ステップＳ１６に進んで、ステップＳ１４で作成した当該グレースケール画像を、初回データとして記憶部１１ｅへ保存する。なお、この初回データは、照明器具８ａ〜８ｃが最も良好な状態のときに撮影された画像データから生成されたものであることが望ましいので、照明器具８ａ〜８ｃが劣化していないとき、出来れば、エレベータの乗りかご６の設置時あるいは設置直後の使用開始初期の段階で、乗りかご６内を撮影して得るようにする。
【００２１】
一方、ステップＳ１５の判定で、２回目以降の照明点検処理であると判定された場合には、ステップＳ１７に進み、演算処理部１１ａが、記憶部１１ｅに保存された初回データ（グレースケール画像）と今回の撮影による画像データから生成されたグレースケール画像とを比較し、差分データ（変化量）を抽出する。次に、演算処理部１１ａは、ステップＳ１８で、差分データと、記憶部１１ｅ内に予め記憶してあるｏｆｆ故障判定値（第１の閾値）とを比較し、差分データがｏｆｆ故障判定値（第１の閾値）より大きければ、ステップＳ１２で「点灯」と指定された照明器具８ａが点灯しておらず、故障（以下、ｏｆｆ故障とする。）しているとして判定し、ステップＳ１９に進んで、照明器具８ａに関するｏｆｆ故障データを作成し、ステップ２０に進む。一方、差分データがｏｆｆ故障判定値（第１の閾値）未満であれば、演算処理部１１ａは、照明器具８ａは正常であると判定し、ステップＳ１９の処理をスキップして、ステップＳ２０に進む。さらに、ステップＳ２０で、演算処理部１１ａは、差分データと、記憶部１１ｅ内に予め記憶してある照度低下判定値（第２の閾値）とを比較し、差分データが照度低下判定値（第２の閾値）よりも大きければ、ステップＳ１２で「点灯」と指定された照明器具８ａの照度が劣化していると判定し、ステップＳ２１で、照明器具８ａに関する照度劣化データを作成し、ステップＳ２２に進む。次に、一方、差分データが照度低下判定値（第２の閾値）未満であれば、演算処理部１１ａは、ステップＳ２１の処理をスキップし、ステップＳ２２に進む。ステップＳ２２では、演算処理部１１ａが、すべての照明器具８ａ〜８ｃについてステップＳ１２〜Ｓ２１の処理が完了したか否かを判定し、完了していなかった場合には、ステップＳ１２に戻り、次は、照明器具８ｂだけを点灯させて、照明器具８ａ，８ｃは消灯させて、同様に、ステップＳ１２〜Ｓ２１の点検処理を行う。当該点検処理が終了したら、今度は、照明器具８ｃだけを点灯させて、照明器具８ａ，８ｂは消灯させて、同様に、ステップＳ１２〜Ｓ２１の点検処理を行う。こうして、ステップＳ１２〜Ｓ２１の処理を、照明器具８ａ〜８ｃの個数の回数だけ、繰り返し行い、すべての照明器具８ａ〜８ｃについて個々の点検を順次行う。なお、照明器具８ａ〜８ｃの個数、および、点検を行う順序は、予め記憶部１１ｅ内にパラメータデータとして設定しておく。ステップＳ２２の判定で、演算処理部１１ａにより照明器具全ての判定処理が完了したと判定されたら、ステップＳ２３で、演算処理部１１ａが、Ｉ／Ｏ制御部１１ｄを介して、電源切断手段１０へ、ｏｎ／ｏｆｆ制御指令を出力し、全照明器具８ａ〜８ｃを点灯復帰させる。そして、ステップＳ２４で、照明器具８ａ〜８ｃ毎の照明点検した結果を、照明点検結果として、エレベータ制御盤１のマイクロプロセッサ１ａへ通信制御部１１ｃを介して返信する。こうして返信された照明点検結果が、図２のステップＳ３で、エレベータ制御盤１のマイクロプロセッサ１ａにより受信される。以上の手順によって照明点検処理を行なうことにより、照明器具８ａ〜８ｃの１台毎のｏｆｆ故障または照度劣化を検出することが可能となる。
【００２２】
また、前記照明点検処理において、エレベータ制御盤１で、エレベータ稼動時間から照明装置８の点灯している累積時間をカウントしておき、照明点検指令を送信するとき、または、その事前に、照明点検手段１１に対して照明装置８の累積点灯時間を送信するようにしてもよい。照明点検手段１１は、図５のステップＳ２０の照度低下の判定処理を行なう際、受信した照明装置８の累積点灯時間と予め記憶部１１ｅ内にパラメータデータとして設定しておいた照明器具８ａ〜８ｃの累積点灯時間に対する照度低下予定値から、照度低下判定値（第２の閾値）を決定し、これにより、照度劣化データを作成するようにする。なお、照度低下予定値は、照明器具の寿命テスト等の平均データ等から予め作成し、記憶部１１ｅ内に記憶しておく。以上のような処理手順を行なうことにより、長期使用に伴う経年劣化を考慮した上、照度劣化を検知することが可能となる。また、測定結果を時系列的に捕らえ、段々と、照度低下予測値と測定した結果との差が大きくなっていくことを検知するようにして、その変化量が一定値を超えた場合、監視センタ３へ通知することで、照明器具８ａ〜８ｃの早期劣化を把握することができるようになり、照明が切れてしまう以前に、予防保全で、照明器具８ａ〜８ｃを点検または交換することが可能となる。
【００２３】
また、前記照明点検処理の画像処理部１１ｂならび演算処理部１１ａでの画像データの比較を行なって差分データを抽出し、ｏｆｆ故障や照度劣化の判定を行う処理において、画像データ中の任意の画像範囲を処理対象範囲（以下、検知対象範囲とする。）に設定することができれば、顧客の要求に応じて様々な意匠をしているエレベータの乗りかご６内で壁の色や素材による影響が少ない箇所でのみ、比較を行なうことが可能となる。例えば、乗りかご６内の操作盤の釦の表面部などを検知対象範囲として設定しておけば、釦種類が同じであれば、どのようなエレベータの乗りかご意匠であっても一様な照度比較が可能となる。そのため、本実施の形態１では、この検知対象範囲の設定を機能設定手段１３を用いて、乗りかご６並びに照明点検手段１１が据付されるとき、エレベータ保守員が調整することが可能なようにしておく。設定した内容は記憶部１１ｅ内に記憶保存する。また、記憶部１１ｅ内に保存された当該設定内容は、その後であっても、機能設定手段１３を、照明点検手段１１へ接続することにより、エレベータ保守員により任意に変更することが可能となっている。
【００２４】
また、図２における撮像装置１２として、乗りかご６内に設置されている防犯用カメラを共用するようにし、防犯カメラからの映像信号を流用使用することも可能である。これにより新たに撮像装置を設けなくとも乗りかご内の画像データを得ることが可能となる。
【００２５】
以上のように、この発明の実施の形態１に係る照明点検装置は、複数の照明器具８ａ〜８ｃによって構成されるエレベータの乗りかご６内の照明装置８の点検を行うための装置であって、各照明器具８ａ〜８ｃに対し、個別に、電力供給および電力遮断の切り替えを行う電源切断手段１０と、乗りかご６内に設けられ、照明器具８ａ〜８ｃによる照明光下で乗りかご６内を撮影し、その画像データを出力する撮像手段としての撮像装置１２と、撮像装置１２からの画像データを画像解析して、画像データの明るさ（輝度）を検知する検知手段としての画像処理部１１ｂを有する照明点検手段１１とを備え、電源切断手段１０の切り替えにより、照明器具８ａ〜８ｃのうちの１つだけを点灯し、他を消灯させることを、各照明器具８ａ〜８ｃに対し順に行い、その状態で、撮像装置１２による撮影を行って、その画像データの明るさ（輝度）に基づいて、各照明器具８ａ〜８ｃ毎の点灯状態を測定し、各照明器具８ａ〜８ｃ毎の正常／故障の検知を行うようにした。当該構成により、この発明の実施の形態１に係る照明点検装置では、デジタルカメラなどの撮像装置１２からの画像データを、画像処理部１１ｂによって画像解析を行なうことにより、画像データから任意のタイミングでのエレベータ乗りかご６内の明るさを測定、検知することができる。このとき、各照明器具８ａ〜８ｃに対し、各々を個別に電力供給遮断できる電源切断手段１０を設けて、エレベータの利用状況から照明点検処理が実施可能なタイミングを捉えて、照明器具８ａ〜８ｃのうちの１個のみを点灯した状態となるように電力供給を遮断制御し、撮像装置１２で撮影した画像データから乗りかご６内の明るさ（輝度データ）を、画像処理部１１ｂで測定する。これを照明器具８ａ〜８ｃの電力供給を順に切換えながら全照明器具分、繰り返すことにより、照明器具８ａ〜８ｃ毎に正しく点灯できているか否かの検知（ｏｆｆ故障検知）を可能とする。また、画像データから判断するので、従来の光センサのように照明器具の種類や、照明装置の種類に応じて最適化して設置する必要がないので、多大な時間を要した従来の取付作業も不要である。
【００２６】
また、この発明の実施の形態１に係る照明点検装置は、エレベータの使用開始初期において撮像装置１２により撮影した画像データの明るさのデータを初回データとして記憶する記憶手段としての記憶部１１ｅと、当該初回データと今回の画像データから検知された明るさのデータとを比較し、その変化量に基づいて、照明器具８ａ〜８ｃの劣化状況を判定する判定手段としての演算処理部１１ａとをさらに備えている。一般的に、照明器具は長く使用すると、経年劣化により段々と照度が落ちてくるが、どの程度照度が落ちたかを測定、検知できるように、使用開始初期に測定した明るさデータを初回データとして記憶部１１ｅで記憶しておき、これと測定した明るさデータとを比較することにより、どの程度、照明器具の照度が低下したかを演算することができる。このとき、予め予測しておいた照明器具８ａ〜８ｃの累積点灯時間に対する照度の低下量の関係から、測定結果による照度低下量がその照明器具８ａ〜８ｃとして適当であるかを判断し、予定値より一定量以上大きく照度低下していれば、照明器具８ａ〜８ｃが異常であるとの判定をすることができ、照明が切れてしまう以前に予防保全で照明器具を点検または交換することが可能となる。
【００２７】
また、この発明の実施の形態１に係る照明点検装置は、画像データの任意の画像範囲を指定して、前記検知手段における検知対象範囲として設定する検知条件設定手段としての機能設定手段１３をさらに備えている。一般的に、エレベータの乗りかご内は顧客の要求に応じて様々な意匠をしている。このため、照明器具８ａ〜８ｃの配置や種類または乗りかご６の内壁の色や素材によっては、画像データから照明器具８ａ〜８ｃの照度を測定、検知することが難しくなる。このため、本実施の形態では、検知条件設定手段としての機能設定手段１３をさらに備え、任意に画像データの一部の範囲または画像データ中の複数の画像範囲を検知対象範囲として設定し、明るさの測定、検知を行うことにより、最適な測定箇所を検知対象範囲として、明るさを測定、検知することができる。
【００２８】
また、この発明の実施の形態１に係る照明点検装置は、撮像装置１２として、乗りかご６内に設置されている防犯用カメラを共用し、当該防犯用カメラからの映像信号を画像データとして使用することも可能である。近年、エレベータの乗りかご６には防犯を目的に防犯カメラが設置されていることが多い。よって、この発明では、防犯用カメラを撮像装置１２として共用し、防犯用カメラからの画像データを照明点検手段１１内の演算処理部１１ａによって画像解析を行なうことにより、画像データから任意のタイミングでのエレベータ乗りかご６内の明るさを測定、検知することができる。これにより、新たにデジタルカメラなどを撮像装置１２として設置することなく、この発明に係るエレベータの照明点検装置を構成することができる。
【符号の説明】
【００２９】
１  エレベータ制御盤、１ａ  マイクロプロセッサ、２  遠隔監視装置、３  監視センタ、４  一般電話回線、５  照明監視装置、６  乗りかご、７ａ，７ｂ，７ｃ  光センサ、８  照明装置、８ａ，８ｂ，８ｃ  照明器具、９，１０  電源切断手段、１１  照明点検手段、１１ａ  演算処理部、１１ｂ  画像処理部、１１ｃ  通信制御部、１１ｄ  Ｉ／Ｏ制御部、１１ｅ  記憶部、１２  撮像装置、１３  機能設定手段。
【図１】
2013155019.tif 000003
【図２】
2013155019.tif 000004
【図３】
2013155019.tif 000005
【図４】
2013155019.tif 000006
【図５】
2013155019.tif 000007